【手続補正書】
【提出日】平成25年4月3日(2013.4.3)
【手続補正１】
【補正対象書類名】特許請求の範囲
【補正対象項目名】全文
【補正方法】変更
【補正の内容】
【特許請求の範囲】
【請求項１】
被検体を固定する固定部材と、
第１の光が前記固定部材により固定された前記被検体に照射されることにより発生した音響波を検出し、第１の電気信号に変換する音響波検出器と、
前記固定部材により固定された前記被検体の中を伝播した第２の光を検出し、第２の電気信号に変換する光検出器と、
前記第２の電気信号と、前記固定部材により固定された前記被検体の形状に対応する光量分布に関する理論式に基づいて、前記被検体の平均的な有効減衰係数を取得し、前記第１の電気信号と前記平均的な有効減衰係数とに基づいて、前記被検体の光学特性値分布を取得する信号処理装置と、
を備えることを特徴とする被検体情報取得装置。
【請求項２】
前記信号処理装置によって取得された前記被検体の光学特性値分布に基づいて、前記被検体の光学特性値分布画像を取得する画像構成装置を更に備える
ことを特徴とする請求項１に記載の被検体情報取得装置。
【請求項３】
前記固定部材は、前記被検体の形状を平行平板に固定するように構成されている
ことを特徴とする請求項１または２に記載の被検体情報取得装置。
【請求項４】
前記固定部材は、前記被検体を挟む２枚の平行平板から構成されている
ことを特徴とする請求項１から３のいずれか１項に記載の被検体情報取得装置。
【請求項５】
前記固定部材は、前記第２の光を透過するように構成され、
前記第２の光は、前記固定部材を介して前記被検体に照射され、
前記光検出器は、前記固定部材を介して、前記第２の光を検出する
ことを特徴とする請求項１から４のいずれか１項に記載の被検体情報取得装置。
【請求項６】
前記信号処理装置は、前記第２の電気信号を、前記固定部材により固定された前記被検体の形状に対応する光量分布に関する理論式にフィッティングすることにより、前記被検体の平均的な有効減衰係数を取得する
ことを特徴とする請求項１から５のいずれか１項に記載の被検体情報取得装置。
【請求項７】
前記光学特性値分布は、前記被検体の吸収係数分布である
ことを特徴とする請求項１から６のいずれか１項に記載の被検体情報イメージング装置。
【請求項８】
前記第２の光の照射部分と前記光検出器とが、前記被検体の測定対象とする部分を挟んで互いに対向する位置に配置されている
ことを特徴とする請求項１から７のいずれか１項に記載の被検体情報取得装置。
【請求項９】
前記第１の光および前記第２の光はそれぞれ異なる波形の光である
ことを特徴とする請求項１から８のいずれか１項に記載の被検体情報取得装置。
【請求項１０】
前記第１の光および前記第２の光は同じ波形の光である
ことを特徴とする請求項１から８のいずれか１項に記載の被検体情報取得装置。
【請求項１１】
前記光検出器は、前記被検体の表面または表面近傍における複数の個所で前記第２の光を検出可能に構成されている
ことを特徴とする請求項１から１０のいずれか１項に記載の被検体情報取得装置。
【請求項１２】
前記音響波検出器は、前記被検体の表面または表面近傍における複数の個所で音響波を検出可能に構成されている
ことを特徴とする請求項１から１１のいずれか１項に記載の被検体情報取得装置。
【請求項１３】
被検体を固定する工程と、
第１の光を前記固定部材により固定された前記被検体に照射する工程と、
前記第１の光が前記固定部材により固定された被検体に照射されることにより発生した音響波を検出し、第１の電気信号を取得する工程と、
第２の光を前記固定部材により固定された前記被検体に照射する工程と、
前記固定部材により固定された前記被検体の中を伝播した前記第２の光を検出し、第２の電気信号を取得する工程と、
前記第２の電気信号と、前記固定部材により固定された前記被検体の形状に対応する光量分布に関する理論式とに基づいて、前記被検体の平均的な有効減衰係数を取得する工程と、
前記第１の電気信号と、前記被検体の平均的な有効減衰係数とに基づいて、前記被検体の光学特性値分布を取得する工程と、
を有することを特徴とする被検体情報取得装置の制御方法。
【請求項１４】
前記被検体の光学特性値分布に基づいて、前記被検体の光学特性値分布画像を取得する工程を更に備える
ことを特徴とする請求項１３に記載の被検体情報取得装置の制御方法。
【請求項１５】
前記被検体を固定する工程において、前記被検体の形状を平行平板に固定する
ことを特徴とする請求項１３または１４に記載の被検体情報取得装置の制御方法。
【請求項１６】
前記光学特性値分布を取得する工程において、前記第２の電気信号を、前記固定部材により固定された前記被検体の形状に対応する光量分布に関する理論式にフィッティングすることにより、前記被検体の平均的な有効減衰係数を取得する
ことを特徴とする請求項１３から１５のいずれか１項に記載の被検体情報取得装置の制御方法。
【請求項１７】
前記光学特性値分布は、前記被検体の吸収係数分布である
ことを特徴とする請求項１３から１６のいずれか１項に記載の被検体情報取得装置の制御方法。
【請求項１８】
前記第１の光および前記第２の光はそれぞれ異なる波形の光である
ことを特徴とする請求項１３から１７のいずれか１項に記載の被検体情報取得装置の制御方法。
【請求項１９】
前記第１の光および前記第２の光は同じ波形の光である
ことを特徴とする請求項１３から１７のいずれか１項に記載の被検体情報取得装置の制御方法。
【請求項２０】
前記第２の電気信号を取得する工程において、前記被検体における光の照射部分と前記被検体の中を伝播する光の複数の伝播距離に係る強度を検出する位置とを、前記被検体における測定対象とする部分を挟んで互いに対向する位置に配置する
ことを特徴とする請求項１３から１９のいずれか１項に記載の被検体情報取得装置の制御方法。
【請求項２１】
前記第２の電気信号を取得する工程において、前記被検体の表面または表面近傍における複数の個所で前記第２の光を検出する
ことを特徴とする請求項１３から２０のいずれか１項に記載の被検体情報取得装置の制御方法。
【請求項２２】
前記第１の電気信号を取得する工程において、前記被検体の表面または表面近傍における複数の個所で音響波を検出する
ことを特徴とする請求項１３から２１のいずれか１項に記載の被検体情報取得装置の制御方法。
【請求項２３】
コンピューターに、請求項１３から２２のいずれか１項に記載の被検体情報取得装置の制御方法を実行させる
ことを特徴とするプログラム。
【請求項２４】
被検体を固定する固定部材と、
第１の光が前記固定部材により固定された前記被検体に照射されることにより発生した音響波を検出し、第１の電気信号に変換する音響波検出器と、
前記固定部材により固定された前記被検体の中を伝播した第２の光を検出し、第２の電気信号に変換する光検出器と、
前記第２の電気信号と、前記固定部材により固定された前記被検体の形状に対応する光量分布に関する理論式に基づいて、前記被検体の散乱係数または等価散乱係数を取得し、
前記第１の電気信号と、前記散乱係数または前記等価散乱係数とに基づいて、前記被検体の光学特性値分布を取得する信号処理装置と、
を備えることを特徴とする被検体情報取得装置。
【手続補正２】
【補正対象書類名】明細書
【補正対象項目名】発明の名称
【補正方法】変更
【補正の内容】
【発明の名称】被検体情報取得装置およびその制御方法
【手続補正３】
【補正対象書類名】明細書
【補正対象項目名】０００１
【補正方法】変更
【補正の内容】
【０００１】
本発明は、被検体情報取得装置およびその制御方法に関する。
【手続補正４】
【補正対象書類名】明細書
【補正対象項目名】００１０
【補正方法】変更
【補正の内容】
【００１０】
本発明は、上記の課題を解決するため、以下の構成を採用する。すなわち、被検体を固定する固定部材と、第１の光が前記固定部材により固定された前記被検体に照射されることにより発生した音響波を検出し、第１の電気信号に変換する音響波検出器と、前記固定部材により固定された前記被検体の中を伝播した第２の光を検出し、第２の電気信号に変換する光検出器と、前記第２の電気信号と、前記固定部材により固定された前記被検体の形状に対応する光量分布に関する理論式に基づいて、前記被検体の平均的な有効減衰係数を取得し、前記第１の電気信号と前記平均的な有効減衰係数とに基づいて、前記被検体の光学特性値分布を取得する信号処理装置と、を備えることを特徴とする被検体情報取得装置である。
本発明はまた、以下の構成を採用する。すなわち、被検体を固定する工程と、第１の光を前記固定部材により固定された前記被検体に照射する工程と、前記第１の光が前記固定部材により固定された被検体に照射されることにより発生した音響波を検出し、第１の電気信号を取得する工程と、第２の光を前記固定部材により固定された前記被検体に照射する工程と、前記固定部材により固定された前記被検体の中を伝播した前記第２の光を検出し、第２の電気信号を取得する工程と、前記第２の電気信号と、前記固定部材により固定された前記被検体の形状に対応する光量分布に関する理論式とに基づいて、前記被検体の平均的な有効減衰係数を取得する工程と、前記第１の電気信号と、前記被検体の平均的な有効減衰係数とに基づいて、前記被検体の光学特性値分布を取得する工程と、を有することを特徴とする被検体情報取得装置の制御方法である。
本発明はまた、以下の構成を採用する。すなわち、被検体を固定する固定部材と、第１の光が前記固定部材により固定された前記被検体に照射されることにより発生した音響波を検出し、第１の電気信号に変換する音響波検出器と、前記固定部材により固定された前記被検体の中を伝播した第２の光を検出し、第２の電気信号に変換する光検出器と、前記第２の電気信号と、前記固定部材により固定された前記被検体の形状に対応する光量分布に関する理論式に基づいて、前記被検体の散乱係数または等価散乱係数を取得し、前記第１の電気信号と、前記散乱係数または前記等価散乱係数とに基づいて、前記被検体の光学特性値分布を取得する信号処理装置と、を備えることを特徴とする被検体情報取得装置である。